(57)【要約】  紙葉類を処理する有価媒体処理システムが、有価媒体を識別し計数する識別部５５と、識別部５５で有価媒体が計数された結果に基づく計数情報を表示する表示部と、を備えている。計数情報の少なくとも一部が表示部で未だ表示されていない場合に、その旨が報知される。
2015098798.tif 000002
【特許請求の範囲】
【請求項１】
有価媒体を処理する有価媒体処理システムにおいて、
有価媒体を識別し計数する識別部と、
前記識別部で前記有価媒体が計数された結果に基づく計数情報を表示する表示部と、
を備え、
前記計数情報の少なくとも一部が前記表示部で未だ表示されていない場合に、その旨を報知する
ことを特徴とする有価媒体処理システム。
【請求項２】
前記計数情報の少なくとも一部が前記表示部で未だ表示されていない場合に、未だ表示されていない計数情報を前記表示部で表示させるための誘導情報を、前記表示部が表示する
ことを特徴とする請求項１に記載の有価媒体処理システム。
【請求項３】
前記計数情報の少なくとも一部が前記表示部で未だ表示されていない場合に、その旨を報知するための文字情報を、前記表示部が表示する
ことを特徴とする請求項１または２に記載の有価媒体処理システム。
【請求項４】
前記計数情報は、前記識別部で計数された通貨に関する情報を含む
ことを特徴とする請求項１乃至３のいずれか１項に記載の有価媒体処理システム。
【請求項５】
前記計数情報は、前記識別部で計数された通貨の金種別枚数に関する情報を含む
ことを特徴とする請求項１乃至４のいずれか１項に記載の有価媒体処理システム。
【請求項６】
前記識別部で計数された通貨に関する情報と、前記識別部で計数されていない通貨に関する情報と、を異なる態様で前記表示部に表示する
ことを特徴とする請求項４または５に記載の有価媒体処理システム。
【請求項７】
前記計数情報は、前記識別部で計数された貨幣の金種に関する情報を含む
ことを特徴とする請求項１乃至６のいずれか１項に記載の有価媒体処理システム。
【請求項８】
前記計数情報は、前記識別部で計数された貨幣の金種別枚数に関する情報を含む
ことを特徴とする請求項１乃至７のいずれか１項に記載の有価媒体処理システム。
【請求項９】
前記識別部で計数された金種に関する情報と、前記識別部で計数されていない金種に関する情報と、を異なる態様で前記表示部に表示する
ことを特徴とする請求項７または８に記載の有価媒体処理システム。
【請求項１０】
前記計数情報の少なくとも一部が前記表示部で未だ表示されていない場合に、前記表示部が、前記計数情報と異なる内容からなる又は前記計数情報と異なる態様からなる補助情報を表示する
ことを特徴とする請求項１乃至９のいずれか１項に記載の有価媒体処理システム。
【請求項１１】
取引の確定を入力するための入力部
を更に備え、
前記計数情報の少なくとも一部が前記表示部で未だ表示されていない場合であって前記入力部から前記取引の確定に関する入力が行われたときに、未だ表示されていない計数情報が存在する旨報知する
ことを特徴とする請求項１乃至１０のいずれか１項に記載の有価媒体処理システム。
【請求項１２】
未だ表示されていない計数情報が存在する旨報知した後で前記入力部から前記取引の確定に関する入力が行われたときには、未だ表示されていない計数情報が存在する場合であっても前記取引の確定を受け付ける
ことを特徴とする請求項１１に記載の有価媒体処理システム。
【請求項１３】
未だ表示されていない計数情報が存在する場合であって前記取引の確定を受け付けたときに、前記表示部がその旨を表示する
ことを特徴とする請求項１２に記載の有価媒体処理システム。
【請求項１４】
取引の確定を入力するための入力部
を更に備え、
前記計数情報の少なくとも一部が前記表示部で未だ表示されていない場合に、前記入力部からの前記取引の確定に関する入力を受け付けず、そのことによって前記計数情報が前記表示部で未だ表示されていないことを報知する
ことを特徴とする請求項１乃至１１のいずれか１項に記載の有価媒体処理システム。
【請求項１５】
前記計数情報の少なくとも一部が前記表示部で未だ表示されていない場合に前記入力部からの前記取引の確定に関する入力を受け付けない第一モードと、前記計数情報の少なくとも一部が前記表示部で未だ表示されていない場合であっても前記入力部からの前記取引の確定に関する入力を受け付ける第二モードと、を切り換える切換部
を更に備えたことを特徴とする請求項１４に記載の有価媒体処理システム。
【請求項１６】
前記第二モードにおいて、未だ表示されていない計数情報が存在する場合であって前記取引の確定を受け付けたときに、前記表示部がその旨を表示する
ことを特徴とする請求項１５に記載の有価媒体処理システム。
【請求項１７】
有価媒体を処理する有価媒体処理方法において、
識別部によって、有価媒体を識別し計数する工程と、
表示部によって、前記識別部で前記有価媒体が計数された結果に基づく計数情報を表示する工程と、
前記計数情報の少なくとも一部が前記表示部で未だ表示されていない場合に、その旨を報知する工程と、
を備えたことを特徴とする有価媒体処理方法。
【発明の詳細な説明】
【技術分野】
【０００１】
本発明は、紙幣、硬貨、小切手、商品券、バーコードチケット、チップ、コイン等の有価媒体を処理する有価媒体処理システム及び有価媒体処理方法に関する。
【背景技術】
【０００２】
従来から、有価媒体を処理する有価媒体処理システムが知られている。その一例としては、紙葉類を処理する紙葉類処理装置を開示した国際公開公報２００９／０６９１９７号が知られている。国際公開公報２００９／０６９１９７号に開示された紙葉類処理装置は、第一通貨紙幣、第二通貨紙幣又はバーコードチケットである紙葉類を１枚ずつ取り込む取込部と、取り込まれた紙葉類を搬送する搬送部と、搬送部によって搬送される紙葉類を識別する識別部と、搬送部によって搬送された紙葉類を集積する集積部と、集積部に集積された紙葉類の情報を表示する表示部と、を備えている。このうち、表示部は、所定の情報を表示する第一表示部と、当該所定の情報とは異なる情報を表示する第二表示部と、を有している。そして、第一表示部が、バーコードチケットの枚数並びに香港ドル紙幣（第一通貨紙幣）の金種及び金種に対応する枚数と、マカオパタカ紙幣（第二通貨紙幣）の金種及び金種に対応する枚数とを、切り換えて表示する態様となっている。
【発明の要旨】
【０００３】
国際公開公報２００９／０６９１９７号に記載された態様によれば、第一表示部の表示を切り換えるだけで各通貨に関する情報を取得することができることから、非常に有益である。しかしながら、操作者が気づかないうちに２種類の以上の通貨が混合されて紙葉類処理装置で識別されることがあり、このような場合には、気づかなかった通貨についての情報（例えば当該通貨の金種別枚数に関する情報）を操作者が目視して確認することなく取引の確定処理をする等して、次の処理に移ってしまう可能性がある。
【０００４】
また、仮に一種類の通貨しか取り扱わなかったとしても、多数の金種を扱う結果、対象となっている金種別枚数の全てを表示部で一度に表示できないこともある。この場合にも同様の問題が生じ、表示されていなかった金種に関する情報（例えば金種別枚数に関する情報）を操作者が目視して確認することなく取引の確定処理をする等して、次の処理に移ってしまう可能性がある。
【０００５】
以上のような点に鑑み、本発明は、本来ならば操作者が目視して確認しなければならない情報がある場合に、操作者がそのような情報に気づくことなく取引の確定処理をする等して次の処理に移ってしまうことを防止することができる有価媒体処理システム及び有価媒体処理方法を提供する。
【０００６】
本発明による有価媒体処理システムは、
有価媒体を処理する有価媒体処理システムであって、
有価媒体を識別し計数する識別部と、
前記識別部で前記有価媒体が計数された結果に基づく計数情報を表示する表示部と、
を備え、
前記計数情報の少なくとも一部が前記表示部で未だ表示されていない場合に、その旨を報知する。
【０００７】
本発明では、計数情報の少なくとも一部が表示部で未だ表示されていない場合に、有価媒体処理システムがその旨を報知する。このため、操作者は、目視して確認しなければならない計数情報が未だ表示されていないことを気づくことができる。したがって、本発明によれば、操作者が未だ表示部で表示されていない計数情報に気づくことなく取引の確定処理をする等して次の処理に移ってしまうことを防止することができる。
【０００８】
本発明による有価媒体処理システムにおいて、
前記計数情報の少なくとも一部が前記表示部で未だ表示されていない場合に、未だ表示されていない計数情報を前記表示部で表示させるための誘導情報を、前記表示部が表示してもよい。
【０００９】
本発明による有価媒体処理システムにおいて、
前記計数情報の少なくとも一部が前記表示部で未だ表示されていない場合に、その旨を報知するための文字情報を、前記表示部が表示してもよい。
【００１０】
本発明による有価媒体処理システムにおいて、
前記計数情報は、前記識別部で計数された通貨に関する情報を含んでもよい。
【００１１】
本発明による有価媒体処理システムにおいて、
前記計数情報は、前記識別部で計数された通貨の金種別枚数に関する情報を含んでもよい。
【００１２】
本発明による有価媒体処理システムにおいて、
前記識別部で計数された通貨に関する情報と、前記識別部で計数されていない通貨に関する情報とを異なる態様で前記表示部に表示してもよい。
【００１３】
本発明による有価媒体処理システムにおいて、
前記計数情報は、前記識別部で計数された貨幣の金種に関する情報を含んでもよい。
【００１４】
本発明による有価媒体処理システムにおいて、
前記計数情報は、前記識別部で計数された貨幣の金種別枚数に関する情報を含んでもよい。
【００１５】
本発明による有価媒体処理システムにおいて、
前記識別部で計数された金種に関する情報と、前記識別部で計数されていない金種に関する情報とを異なる態様で前記表示部に表示してもよい。
【００１６】
本発明による有価媒体処理システムにおいて、
前記計数情報の少なくとも一部が前記表示部で未だ表示されていない場合に、前記表示部が、前記計数情報と異なる内容からなる又は前記計数情報と異なる態様からなる補助情報を表示してもよい。
【００１７】
本発明による有価媒体処理システムは、
取引の確定を入力するための入力部をさらに備え、
前記計数情報の少なくとも一部が前記表示部で未だ表示されていない場合であって前記入力部から前記取引の確定に関する入力が行われたときに、未だ表示されていない計数情報が存在する旨報知してもよい。
【００１８】
本発明による有価媒体処理システムにおいて、
未だ表示されていない計数情報が存在する旨報知した後で前記入力部から前記取引の確定に関する入力が行われたときには、未だ表示されていない計数情報が存在する場合であっても前記取引の確定を受け付けてもよい。
【００１９】
本発明による有価媒体処理システムにおいて、
未だ表示されていない計数情報が存在する場合であって前記取引の確定を受け付けたときに、前記表示部がその旨を表示してもよい。
【００２０】
本発明による有価媒体処理システムは、
取引の確定を入力するための入力部をさらに備え、
前記計数情報の少なくとも一部が前記表示部で未だ表示されていない場合に、前記入力部からの前記取引の確定に関する入力を受け付けず、そのことによって前記計数情報が前記表示部で未だ表示されていないことを報知してもよい。
【００２１】
本発明による有価媒体処理システムは、
前記計数情報の少なくとも一部が前記表示部で未だ表示されていない場合に前記入力部からの前記取引の確定に関する入力を受け付けない第一モードと、前記計数情報の少なくとも一部が前記表示部で未だ表示されていない場合であっても前記入力部からの前記取引の確定に関する入力を受け付ける第二モードとを切り換える切換部をさらに備えてもよい。
【００２２】
本発明による有価媒体処理システムにおいて、
前記第二モードにおいて、未だ表示されていない計数情報が存在する場合であって前記取引の確定を受け付けたときに、前記表示部がその旨を表示してもよい。
【００２３】
本発明による有価媒体処理方法は、
有価媒体を処理する有価媒体処理方法であって、
識別部によって、有価媒体を識別し計数する工程と、
表示部によって、前記識別部で前記有価媒体が計数された結果に基づく計数情報を表示する工程と、
前記計数情報の少なくとも一部が前記表示部で未だ表示されていない場合に、その旨を報知する工程と、
を備える。
【図面の簡単な説明】
【００２４】
【図１】図１は、本発明の実施の形態の紙葉類処理装置（有価媒体処理装置）の外観を示した斜視図である。
【図２】図２は、本発明の実施の形態の紙葉類処理装置の内部構成を示した概略構成図である。
【図３】図３は、本発明の実施の形態の紙葉類処理装置の構成を示した制御ブロック図である。
【図４】図４（ａ）は、本発明の実施の形態の紙葉類処理装置の操作表示部の操作表示画面で表示される第一の態様の一例を示した図であり、図４（ｂ）は、図４（ａ）で「ＣＮＹ」が選択され、かつ、人民元について全ての金種別枚数が操作表示画面で表示された後で、当該操作表示画面に表示される内容を示した図である。
【図５】図５は、本発明の実施の形態の紙葉類処理装置の操作表示部の操作表示画面で表示される第一の態様の別の例を示した図である。
【図６】図６は、本発明の実施の形態の紙葉類処理装置の操作表示部の操作表示画面で表示される第一の態様のさらに別の例を示した図である。
【図７】図７は、本発明の実施の形態の紙葉類処理装置の操作表示部の操作表示画面で表示される第二の態様の一例を示した図である。
【図８】図８は、本発明の実施の形態の紙葉類処理装置の操作表示部の操作表示画面で表示される第三の態様の一例を示した図である。
【図９】図９は、本発明の実施の形態の紙葉類処理装置の操作表示部の操作表示画面で表示される第三の態様の別の例を示した図である。
【図１０】図１０は、本発明の実施の形態の紙葉類処理装置の操作表示部の操作表示画面で表示される第四の態様の一例を示した図である。
【図１１】図１１は、本発明の実施の形態の紙葉類処理装置の操作表示部の操作表示画面に、識別部で計数された通貨に関する情報のみが表示される態様を示した図である。
【図１２】図１２は、本発明の実施の形態の紙葉類処理装置の操作表示部の操作表示画面に、識別部で計数された金種に関する情報のみが表示される態様を示した図である。
【図１３】図１３は、本発明の実施の形態の紙葉類処理システム（有価媒体処理システム）において、撮影部、記憶部及び撮影表示部を備えた態様を示した図である。
【図１４】図１４は、本発明の実施の形態の有価媒体処理システムにおいて、パソコン、タブレット等からなり、外部入力部、外部表示部及び外部記憶部を有する外部装置を備えた態様を示した図である。
【図１５】図１５は、本発明の実施の形態の有価媒体処理システムにおいて、複数の紙葉類処理装置、複数の外部装置及びサーバーを備えた態様を示した図である。
【図１６】図１６は、図１６（ａ）は、本発明の実施の形態の紙葉類処理装置の操作表示部の操作表示画面で表示されるさらに別の態様を示した図であり、図１６（ｂ）は、図１６（ａ）に示した表示内容から遷移した後の表示内容を示した図である。
【発明を実施するための形態】
【００２５】
実施の形態
《構成》
以下、本発明に係る有価媒体処理システム及び有価媒体処理方法の実施の形態について、図面を参照して説明する。ここで、図１乃至図１５は本発明の実施の形態を説明するための図である。
【００２６】
なお、本願において「有価媒体処理システム」は「有価媒体処理装置」単体を含む概念として用いられている。このため、「特許請求の範囲」で記載されている「有価媒体処理システム」は、有価媒体処理装置そのものを意味することもあれば、有価媒体処理装置とそれ以外の装置とを組み合わせたものを意味することもある。また、本願における「有価媒体」とは、金銭的に価値のあるものであればあらゆる物が含まれ、その一例としては、紙幣、硬貨、小切手、商品券、バーコードチケット、チップ、コイン等のことを意味し、代表的なものは紙幣又は硬貨である。また、本願における「貨幣」とは、紙幣、硬貨又は紙幣及び硬貨の両方を意味する。なお、以下では、主として有価媒体として紙幣を用いて説明し、主として有価媒体処理装置として紙葉類処理装置（典型的には紙幣処理装置）を用いて説明するが、あくまでも一例であることには留意が必要である。
【００２７】
図１に示すように、本実施の形態の紙葉類処理装置１００は、筐体１と、筐体１に設けられて複数の紙幣を受け入れる受入部１１と、受入部１１で受け入れられた積層状態の紙幣のうち最下層にある紙幣を１枚ずつ取り込む取込部１０と、を備えている。また、図２に示すように、紙葉類処理装置１００は、取込部１０から筐体１内に取り込まれた各紙幣を搬送する搬送部２０と、搬送部２０で搬送された紙幣を識別して計数する識別部５５も、を備えている。また、紙葉類処理装置１００は、識別部５５で識別された紙幣を集積する複数（図１及び図２に示した態様では８つ）のスタッカ６０と、スタッカ６０に集積されない紙幣をリジェクトする複数（図１及び図２に示した態様では２つ）のリジェクト部６１と、を備えている。なお、本実施の形態の識別部５５は、例えば紙幣の金種、正損、表裏、新旧、方向、真偽等を識別する。ちなみに、本実施の形態による紙葉類処理装置１００は、例えば銀行等の金融機関や紙幣処理センターに設置される。
【００２８】
図１に示すように、上述したスタッカ６０の各々は前面（図２の紙面の表側）が開口しており、当該開口を介して操作者はスタッカ６０内の紙幣を自由に取り出すことができる。ちなみに、本実施の形態では８つのスタッカ６０を有するスタッカユニットを用いて説明しているが、これに限られることはない。スタッカユニットは自由に追加又は削減することができ、例えば４つのスタッカ６０を有するスタッカユニットを１つ削減すれば４つのスタッカ６０を備えた紙葉類処理装置１００を提供できるし、４つのスタッカ６０を有するスタッカユニットを１つ追加すれば１２個のスタッカ６０を備えた紙葉類処理装置１００を提供できる。
【００２９】
図２に示すように、搬送部２０には、搬送部２０内で搬送される紙幣を検知するための複数の通過センサ４０が設けられている。また、搬送部２０には、搬送部２０内で搬送される紙幣を分岐するための複数の分岐部４５が設けられている。また、受入部１１には、受入部１１に紙幣が載置されているか否かを検知するための有無検知センサ４１が設けられ、スタッカ６０の各々には、スタッカ６０内の紙幣の有無を検知するための有無検知センサ４２が設けられている。ちなみに、同じ金種であっても旧券の紙幣と新券の紙幣とを異なるスタッカ６０に集積するようにしてもよく、また、同じ金種であっても異なる方向の紙幣を異なるスタッカ６０に集積するようにしてもよいが、同じ金種であれば同じスタッカ６０に集積するようにしてもよい。
【００３０】
図示していないが、紙葉類処理装置１００は、紙幣を結束するための１つ又は複数の紙幣結束ユニットを備えていてもよい。この紙幣結束ユニットは、搬送部２０で搬送された結束用の複数の紙幣を集積するための複数の結束用紙幣集積部と、結束用紙幣集積部に集積された紙幣を結束帯で結束して紙幣束を生成するための結束部と、結束部で結束された紙葉類束を収容する紙葉類束集積部と、紙葉類束集積部に収容された紙葉類束を放出する束放出口と、を有している。上述した結束部は、例えば１００枚の紙葉類に結束帯を巻き掛け、当該結束帯を止めることで、紙葉類を結束して紙葉類束とする。
【００３１】
また、図示していないが、紙葉類処理装置１００は、紙幣を反転させる紙幣反転部を含んだ紙幣反転ユニットを備えていてもよい。この紙幣反転部は、搬送部２０で紙幣を短手方向に搬送した場合、搬送されている紙幣をその短手方向の向きが逆向きになるように表裏反転させる短手反転部と、搬送部２０で搬送されている紙幣をその長手方向の向きが逆向きになるように表裏反転させる長手反転部と、を有している。
【００３２】
図３に示すように、紙葉類処理装置１００は、紙葉類処理装置１００の各構成要素を制御する制御部５０と、様々な情報を記憶するための記憶部５６と、様々な情報を表示する操作表示部７０（特許請求の範囲の「表示部」及び「入力部」に対応する。）も、備えている。このうち、操作表示部７０では、少なくとも識別部５５で紙幣（有価媒体）が計数された結果に基づく計数情報が表示されるようになっている。図１に示すように、本実施の形態では、操作表示部７０が筐体１の前面側に設けられ、２つの操作表示画面７０ａ，７０ｂを有しているが、このうちの一つによって後述するような内容が表示されることとなる。ちなみに、操作表示部７０はこのように２つの操作表示画面７０ａ，７０ｂを有している必要は必ずしもなく、操作表示部７０は一つの操作表示画面のみを有していてもよいし三つ以上の操作表示画面を有していてもよい。本実施の形態の操作表示部７０の操作表示画面７０ａ，７０ｂの各々はタッチパネルとなっており、操作者が触れることで操作表示画面７０ａ，７０ｂに表示されたボタン等を介して信号が制御部５０に送られることとなる。ところで、本実施の形態では、特許請求の範囲の「表示部」及び「入力部」の機能を操作表示部７０が果たす態様を用いて説明するが、これに限られることはなく、「表示部」と「入力部」とが別体となり、例えば「入力部」が「表示部」とは別に筐体１の側面に設けられてもよい。
【００３３】
本実施の形態では、図３に示すように、制御部５０に、取込部１０、搬送部２０、各種センサ４０，４１，４２、分岐部材４５、スタッカ６０、リジェクト部６１、記憶部５６、識別部５５、操作表示部７０等が接続されており、制御部５０は、これらを制御したりこれらから情報を取得したりする。
【００３４】
次に、操作表示部７０の操作表示画面７０ａ又は操作表示画面７０ｂで表示される内容について説明する。
【００３５】
図４（ａ）で示す態様では、操作表示部７０は、通貨の表示を切り換えるためのボタン７１と、当該通貨における金種毎の枚数並びにこの枚数のうち正券（ＦＩＴ）である枚数及び損券（ＵＮＦＩＴ）である枚数を表示する金種別枚数情報表示部７９と、を表示するようになっている。通貨の表示を切り換えるためのボタン７１は、米国ドル（ＵＳＤ）に関する情報を表示するためのボタン７１ａと、人民元（ＣＮＹ）に関する情報を表示するためのボタン７１ｂと、ユーロ（ＥＵＲ）に関する情報を表示するためのボタン７１ｃと、を有している。また、操作表示部７０は、押下することで金種別枚数情報表示部７９に表示されている内容を上方にスクロールさせることができる上矢印７２ａと、押下することで金種別枚数情報表示部７９に表示されている内容を下方にスクロールさせることができる下矢印７２ｂと、押下することで取引の確定を行うことができる「ＡＣＣＥＰＴ」ボタン７３と、押下することで金種別枚数情報表示部７９に表示されている内容を消去することができる「ＣＬＥＡＲ」ボタン７４も、表示する。
【００３６】
図４（ａ）に示した態様では、米国ドル（ＵＳＤ）の表示を行うボタン７１ａが選択されており、米国ドル（ＵＳＤ）の金種毎の枚数と、この枚数のうち正券（ＦＩＴ）である枚数及び損券（ＵＮＦＩＴ）である枚数とが、操作表示部７０に表示されている。ちなみに、図４（ａ）で示した態様では、「５Ａ」が５ドル紙幣の旧券であることを意味し、「１０Ａ」が１０ドル紙幣の旧券であることを意味している。図４（ａ）に示した態様では、具体的には、１ドル紙幣の正券が１２３４枚であり、１ドル紙幣の損券が８６７５枚であり、１ドル紙幣が合計９９９９枚であることが金種別枚数情報表示部７９に表示されている。また、２ドル紙幣が０枚であり、当然、２ドル紙幣の正券の枚数及び損券の枚数が各々０枚であることも金種別枚数情報表示部７９に表示されている。また、５ドル紙幣（新券）の正券が５６７枚であり、５ドル紙幣の損券が４３２枚であり、５ドル紙幣が合計９９９枚であることも金種別枚数情報表示部７９に表示されている。また、５ドル紙幣（旧券）が０枚であり、当然、５ドル紙幣の正券の枚数及び損券の枚数が各々０枚であることも金種別枚数情報表示部７９に表示されている。また、１０ドル紙幣（新券）の正券が８７６枚であり、１０ドル紙幣の損券が１２３枚であり、１０ドル紙幣が合計９９９枚であることも金種別枚数情報表示部７９に表示されている。また、１０ドル紙幣（旧券）が０枚であり、当然、１０ドル紙幣の正券の枚数及び損券の枚数が各々０枚であることも金種別枚数情報表示部７９に表示されている。また、２０ドル紙幣の正券が４３２１枚であり、２０ドル紙幣の損券が５６７８枚であり、２０ドル紙幣が合計９９９９枚であることも金種別枚数情報表示部７９に表示されている。
【００３７】
図４（ｂ）は、図４（ａ）で「ＣＮＹ」が選択され、かつ、人民元について全ての金種別枚数が操作表示画面７２ａ，７２ｂで表示された後で、当該操作表示画面７２ａ，７２ｂに表示される内容を示した図である。図４（ｂ）に示した態様では、人民元（ＣＮＹ）の金種毎の枚数と、この枚数のうち正券（ＦＩＴ）である枚数及び損券（ＵＮＦＩＴ）である枚数とが、操作表示部７０に表示されている。なお、図４（ｂ）で示した態様でも、「Ａ」は旧券であることを意味し、「５Ａ」は５元紙幣の旧券であることを意味し、「１０Ａ」は１０元紙幣の旧券であることを意味している。図４（ｂ）に示した態様では、具体的には、１元紙幣の正券が１００枚であり、１元紙幣の損券が１０枚であり、１元紙幣が合計１１０枚であることが金種別枚数情報表示部７９に表示されている。また、５元紙幣（新券）の正券が２００枚であり、５元紙幣の損券が２０枚であり、５元紙幣が合計２２０枚であることも金種別枚数情報表示部７９に表示されている。また、５元紙幣（旧券）が０枚であり、当然、５元紙幣の正券の枚数及び損券の枚数が各々０枚であることも金種別枚数情報表示部７９に表示されている。また、１０元紙幣（新券）の正券が３００枚であり、１０元紙幣の損券が３０枚であり、１０元紙幣が合計３３０枚であることも金種別枚数情報表示部７９に表示されている。また、１０元紙幣（旧券）が０枚であり、当然、１０元紙幣の正券の枚数及び損券の枚数が各々０枚であることも金種別枚数情報表示部７９に表示されている。また、２０元紙幣の正券が４００枚であり、２０元紙幣の損券が４０枚であり、２０元紙幣が合計４４０枚であることも金種別枚数情報表示部７９に表示されている。また、５０元紙幣の正券が５００枚であり、５０元紙幣の損券が５０枚であり、５０元紙幣が合計５５０枚であることも金種別枚数情報表示部７９に表示されている。
【００３８】
ちなみに、有価媒体が硬貨である場合には、上述した紙幣と同様の態様となり、操作表示部７０は、例えば、通貨の表示を切り換えるためのボタン、当該通貨における金種毎の枚数等を表示する金種別枚数情報表示部、上矢印、下矢印、「ＡＣＣＥＰＴ」ボタン、「ＣＬＥＡＲ」ボタン等が表示されることとなる。また、有価媒体が商品券である場合には、例えば、発行元を切り換えるためのボタン、当該発行元における金種毎の枚数等を表示する金種別枚数情報表示部、上矢印、下矢印、「ＡＣＣＥＰＴ」ボタン、「ＣＬＥＡＲ」ボタン等が表示されることとなる。また、有価媒体が小切手である場合には、金種毎の枚数等を表示する金種別枚数情報表示部、上矢印、下矢印、「ＡＣＣＥＰＴ」ボタン、「ＣＬＥＡＲ」ボタン等が表示されることとなる。
【００３９】
識別部５５は、紙幣（有価媒体）の様々な情報を取得するが、本願における計数情報とは、識別部５５で紙幣（有価媒体）が計数された結果に基づく情報のうち、操作表示部７０に表示するように設定された情報である。言い換えれば、計数情報とは、操作表示部７０で一度は表示されるべき主要情報である。本実施の形態では、このような情報を計数情報又は主要情報と言うこととし、主要情報の少なくとも一部、より具体的には主要情報の一部又は全てが操作表示部７０で未だ表示されていない場合に、その旨が報知されるようになっている。
【００４０】
主要情報には、操作表示部７０で一度は表示されるべき情報であればあらゆる情報が含まれるが、主要情報の一例としては、識別部５５で計数された通貨（例えば、米国ドル、人民元、ユーロ等）に関する情報を挙げることができ、この例の下位概念として、識別部５５で計数された通貨の金種別枚数に関する情報を挙げることができる。また、主要情報の別の例としては、識別部５５で計数された紙幣の金種（例えば、１（ドル又は元）、２（ドル）、５（ドル、元又はユーロ）等）に関する情報を挙げることができ、この例の下位概念として、識別部５５で計数された紙幣の金種別枚数に関する情報を挙げることができる。さらに別の例としては、識別部５５で計数された通貨（例えば、米国ドル、人民元、ユーロ等）の金種（例えば、１ドル、２ドル、５ドル、１元、５元、５ユーロ、１０ユーロ等）に関する情報を挙げることができ、この例の下位概念として、識別部５５で計数された通貨の金種別枚数に関する情報を挙げることができる。
【００４１】
なお、識別部５５で計数された通貨に関する情報が主要情報となっている場合には、識別部５５で計数された通貨の一部に関する情報のみが操作表示部７０で表示されたに留まり通貨の全てに関する情報が操作表示部７０で表示されていない場合や、識別部５５で計数された通貨に関する情報が操作表示部７０で全く表示されていない場合に、そのことが報知されることとなる。また、識別部５５で計数された紙幣の金種に関する情報が主要情報となっている場合には、識別部５５で計数された紙幣の金種の一部に関する情報のみが操作表示部７０で表示されたに留まり紙幣の金種の全てに関する情報が操作表示部７０で表示されていない場合や、識別部５５で計数された紙幣の金種に関する情報が操作表示部７０で全く表示されていない場合に、そのことが報知されることとなる。
【００４２】
上述した例のうち主要情報が識別部５５で計数された通貨の金種別枚数に関する情報である場合には、識別部５５である通貨のある金種の紙幣が識別計数された際には、当該通貨の当該金種の枚数に関する情報が主要情報となる。例えば、受入部１１に米国ドル紙幣と人民元紙幣とが混在して配置され、識別部５５において、米国ドルの１ドル紙幣、５ドル紙幣（新券）、１０ドル紙幣（新券）及び２０ドル紙幣、並びに、人民元の１元紙幣、５元紙幣（新券）、１０元紙幣（新券）、２０元紙幣及び５０元紙幣が識別された場合には、米国ドルの１ドル紙幣の金種別枚数、５ドル紙幣（新券）の金種別枚数、１０ドル紙幣（新券）の金種別枚数及び２０ドル紙幣の金種別枚数、並びに、人民元の１元紙幣の金種別枚数、５元紙幣（新券）の金種別枚数、１０元紙幣（新券）の金種別枚数、２０元紙幣の金種別枚数及び５０元紙幣の金種別枚数に関する情報が、主要情報となる（図４（ａ）（ｂ）参照）。
【００４３】
主要情報の一部又は全てが操作表示部７０で未だ表示されていない場合にその旨を報知する第一の態様として、主要情報の一部又は全てが操作表示部７０で未だ表示されていない場合に、未だ表示されていない主要情報を操作表示部７０で表示させるための誘導情報を、操作表示部７０が表示する態様を採用することができる。この誘導情報には例えばマーク、矢印等だけではなく、マーク、矢印等が強調表示される場合も含まれる。つまり、「誘導情報が表示される」ということには、表示されていなかったマーク、矢印等が新たに表示される態様と、予め表示されているマーク、矢印等が強調表示される態様が含まれる。
【００４４】
図４（ａ）では、識別部５５で識別計数された米国ドル紙幣の金種別枚数の全てが操作表示部７０で表示されたが、未だ識別部５５で識別計数された人民元紙幣の金種別枚数に関する情報が操作表示部７０で表示されていない態様を示している。より具体的には、図４（ａ）では、星印からなるマークが人民元に関する情報を表示するためのボタン７１ｂに表示され、人民元紙幣の金種別枚数に関する情報の全てが操作表示部７０で未だ表示されていないことが示されている。この星印からなるマークが誘導情報である。そして、人民元に関する情報を表示するためのボタン７１ｂが選択され、下矢印７２ｂで金種別枚数情報表示部７９の内容が下側にスクロールされて、識別部５５で識別計数された人民元紙幣の金種別枚数の全てが操作表示部７０で表示されると、図４（ｂ）で示すように、星印からなるマークが消えることとなる。ちなみに、図４（ａ）（ｂ）において、上矢印７２ａが点線で示されているが、これは金種別枚数情報表示部７９の内容をこれ以上上側にスクロールすることができないことを意味し、図４（ａ）では１ドル紙幣より小さな金額の紙幣が存在しないことを意味し、図４（ｂ）では１元紙幣より小さな金額の紙幣が存在しないことを意味している。他方、図４（ａ）（ｂ）において、下矢印７２ｂが実線で示されているが、これは金種別枚数情報表示部７９の内容を下側にスクロールすることができることを意味し、図４（ａ）では２０ドル紙幣より大きな金額の紙幣が存在することを意味し、図４（ｂ）では５０元紙幣より大きな金額の紙幣が存在することを意味している。
【００４５】
これら上矢印７２ａや下矢印７２ｂが誘導情報である。
【００４６】
ちなみに、図４（ａ）（ｂ）において、ユーロの表示を行うためのボタン７１ｃには星印が示されていない。このことは、識別部５５で識別計数されたユーロ紙幣の金種別枚数の全てが既に操作表示部７０で表示されたか、又は、そもそも識別部５５で識別計数された紙幣にユーロ紙幣が含まれていなかったことを意味しており、ユーロ紙幣に関しては未だ表示されていない主要情報（金種別枚数）が存在しないことを意味している。
【００４７】
図５では、通貨を切り換えるためのボタン７１が表示されず、画面をスクロールさせることで、各通貨について、識別部５５で識別計数された金種別枚数を確認することができるようになっている。そして、この図５では、識別部５５で識別計数された米国ドル紙幣の金種別枚数の全てが操作表示部７０で表示されているが、識別部５５で識別計数された人民元紙幣の金種別枚数に関する情報の全てが未だ操作表示部７０で表示されていない態様を示している。なお、識別部５５で識別計数されたユーロ紙幣の金種別枚数に関する情報が存在するかは、図５の表示がなされている時点では不明である。図５では、予め示されていた下矢印７２ｂが点滅する等して強調表示される。そして、識別部５５で識別計数された人民元紙幣の金種別枚数に関する情報の全てが（存在するのであれば識別部５５で識別計数されたユーロ紙幣の金種別枚数の全ても）操作表示部７０で表示されると、下矢印７２ｂの強調表示が終了して下矢印７２ｂは通常の態様で表示されることとなる。
【００４８】
図６では、識別部５５で識別計数された米国ドル紙幣の金種別枚数の全てが未だ操作表示部７０で表示されていない態様を示している。図６では、星印からなるマークが下矢印７２ｂに表示され、米国ドル紙幣のうち５０ドル紙幣よりも大きな金額からなる紙幣の金種別枚数が未だ操作表示部７０で表示されていないことが示されている。そして、識別部５５で識別計数された米国ドル紙幣の金種別枚数の全てが操作表示部７０で表示されると、星印からなるマークが消えることとなる。
【００４９】
主要情報の一部又は全てが操作表示部７０で未だ表示されていない場合にその旨を報知する第二の態様として、主要情報の一部又は全てが操作表示部７０で未だ表示されていない場合に、その旨を報知するための文字情報７５を、操作表示部７０が表示するようにするものを採用することができる。より具体的には、識別部５５で識別計数された紙幣の金種別枚数の情報であって操作表示部７０で未だ表示されていない情報がある場合には、その旨が文字情報７５で表示されることとなる。
【００５０】
図７に示した態様では、通貨の表示を切り換えるためのボタン７１の横に「表示されていない計数結果があります！」という文字が表示され、識別部５５で識別計数された人民元紙幣の金種別枚数、ユーロ紙幣の金種別枚数及び／又は米国ドル紙幣のうち２０ドルよりも大きな金種の紙幣（５０ドル紙幣もしくは１００ドル紙幣）の金種別枚数が、未だ操作表示部７０で表示されていないことが示されている。そして、識別部５５で識別計数された人民元紙幣の金種別枚数、ユーロ紙幣の金種別枚数及び／又は米国ドル紙幣のうち２０ドルよりも大きな金種の紙幣の金種別枚数に関する情報の全てが操作表示部７０で表示されると、「表示されていない計数結果があります！」という文字が消えることとなる。なお、表示される文字情報７５としては、例えば「表示されていない通貨があります！」や「表示されていない金種があります！」というように何が表示されていないか、表示されていない情報の種類を示すものを用いることができる。また、より詳細に「人民元の１００元紙幣の金種別枚数が表示されていません！」というように、表示されていない通貨の金種を特定して示すものを用いることもできる。
【００５１】
また、表示される文字情報７５としては、表示すべき情報量や、未表示の情報量を示すものを用いることもできる。具体的には、計数結果をページ単位で表示する場合は、表示すべき全てのページ数を表示したり、表示されていないページ数を表示することもできる。あるいは、現在表示中のページが、全ページ中の何番目のページであるかを表示することもできる。
【００５２】
上述した計数情報は、識別部５５で紙幣（有価媒体）が計数された結果に基づいて作成され、主要情報と異なる内容からなる又は主要情報と異なる態様で操作表示部７０によって表示される補助情報を含んでもよい。主要情報と異なる内容からなる補助情報の一例としては、識別部５５で紙幣（有価媒体）が計数された結果に基づいて作成される情報であって簡略化されたものを挙げることができ、具体的には、各通貨の合計金額のみからなる補助情報や各通貨の合計枚数のみからなる補助情報を挙げることができる（図８参照）。また、主要情報と異なる態様で操作表示部７０によって表示される補助情報の一例としては、識別部５５で紙幣（有価媒体）が計数された結果に基づいて作成された通貨の金種別枚数を縮小表示した情報７６を挙げることができる（図９参照）。なお、このように縮小表示される際には、例えばある一つの通貨の金種別枚数が縮小されて表示されることとなる。
【００５３】
このように計数情報が補助情報を有する場合には、主要情報の一部又は全てが操作表示部７０で未だ表示されていない場合にその旨を報知する第三の態様として、主要情報の一部又は全てが操作表示部７０で未だ表示されていないことを、操作表示部７０が補助情報を表示することで報知する態様を採用することができる。より具体的には、識別部５５で識別計数された通貨の紙幣に関する金種別枚数の情報であって操作表示部７０で未だ表示されていない情報がある場合には、操作表示部７０に当該通貨に関する補助情報や当該金種に関する補助情報等が表示されることとなる。
【００５４】
図８に示した態様では、通貨の表示を切り換えるためのボタン７１の中に、識別部５５で識別計数された通貨の合計金額が補助情報として表示されている。より具体的には、２１万５９６４ドルの米国ドル紙幣が識別部５５で識別計数され、１２３４人民元の人民元紙幣が識別部５５で識別計数され、ユーロ紙幣は識別部５５で識別計数されなかったことが操作表示部７０で表示されている。このような表示は、識別部５５で識別計数された米国ドル紙幣の全ての金種別枚数が未だ表示されておらず、識別部５５で識別計数された人民元紙幣の全ての金種別枚数が未だ表示されていないことを意味している。そして、識別部５５で識別計数された米国ドル紙幣の全ての金種別枚数が操作表示部７０で表示されると米国ドルに関する情報を表示するためのボタン７１ａの中に示された「２１５９６４」という数値が消える。また、人民元に関する情報を表示するためのボタン７１ｂが押下されて人民元の金種別枚数が操作表示部７０で表示され、識別部５５で識別計数された人民元紙幣の全ての金種別枚数が操作表示部７０で表示されると人民元に関する情報を表示するためのボタン７１ｂの中に示された「１２３４」という数値が消える。なお、図８に示した態様では、ユーロ紙幣は識別部５５で識別計数されなかったことが、ユーロに関する情報を表示するためのボタン７１ｃの中に「０」という数値が表示されることで示されているが、このような態様に限らず、識別部５５で識別計数された紙幣が存在しない通貨に関しては、通貨の表示を切り換えるためのボタン７１の中に何らの数値も表示されないようにしてもよい。
【００５５】
主要情報の一部又は全てが操作表示部７０で未だ表示されていない場合にその旨を報知する第四の態様としては、主要情報の一部又は全てが操作表示部７０で未だ表示されていない場合に、操作表示部７０（入力部）からの取引の確定に関する入力を受け付けず、そのことによって主要情報の一部又は全てが操作表示部７０で未だ表示されていないことを報知する態様を採用することができる。より具体的には、識別部５５で識別計数された通貨の金種別枚数に関して操作表示部７０で未だ表示されていない情報がある場合には、操作表示部７０からの取引の確定に関する入力が受け付けられない態様を採用することができる。
【００５６】
この第四の態様の一例としては、識別部５５で識別計数された通貨の金種別枚数に関して操作表示部７０で表示されていない情報がある場合において、操作表示部７０に表示された「ＡＣＣＥＰＴ」ボタン７３を押下しても画面が遷移しなかったり、操作表示部７０に表示された「ＡＣＣＥＰＴ」ボタン７３を押下した際に未だ表示されていない金種別枚数の情報がある旨が操作表示部７０に表示されたりするものを挙げることができる。また、別の例としては、識別部５５で識別計数された通貨の金種別枚数に関して操作表示部７０で未だ表示されていない情報がある場合には、そもそも操作表示部７０に「ＡＣＣＥＰＴ」ボタン７３が表示されないものや（図１０参照）、操作表示部７０に「ＡＣＣＥＰＴ」ボタン７３がグレー表示（薄い色で表示）されるものを挙げることができる。図１０において「ＡＣＣＥＰＴ」ボタン７３が点線で示されているが、このことは「ＡＣＣＥＰＴ」ボタン７３が表示されていないことを意味している。
【００５７】
この第四の態様を採用する場合には、紙葉類処理装置１００は、主要情報の一部又は全てが操作表示部７０で未だ表示されていない場合に操作表示部７０からの取引の確定に関する入力を受け付けない第一モードと、主要情報の一部又は全てが操作表示部７０で未だ表示されていない場合であっても操作表示部７０からの取引の確定に関する入力を受け付ける第二モードとを切り換える切換部８０（図３参照）をさらに備えてもよい。なお、この切換部８０は、図３に示すように制御部５０に接続されており、制御部５０に第一モードであるのか又は第二モードであるのかを伝えるようになっている。ちなみに、このような切換部８０は紙葉類処理装置１００が備えている必要は必ずしもなく、後述する外部装置２００（図１４参照）が切換部を備えていてもよい。
【００５８】
第一モードとなっている場合には、主要情報の一部又は全てが操作表示部７０で未だ表示されていないときには操作表示部７０から取引の確定をすることができない状態となり、第四の態様において上記で説明したことがそのまま当てはまる。他方、第二モードとなっている場合には、主要情報の一部又は全てが操作表示部７０で未だ表示されていないときであっても操作表示部７０から取引の確定をすることができる。このように、主要情報の一部又は全てが操作表示部７０で未だ表示されていないときであっても操作表示部７０から取引の確定をすることができる場合の態様については、後で説明する。
【００５９】
ところで、上述した第一の態様、第二の態様、第三の態様及び第四の態様のうちの２つ以上の態様を任意に組み合わせることができる。つまり、第一の態様と第二の態様を組み合わせることができるし、第一の態様と第三の態様を組み合わせることができるし、第一の態様と第四の態様を組み合わせることができるし、第二の態様と第三の態様を組み合わせることができるし、第二の態様と第四の態様を組み合わせることができるし、第三の態様と第四の態様を組み合わせることができる。また、第一の態様、第二の態様及び第三の態様を組み合わせることができるし、第一の態様、第二の態様及び第四の態様を組み合わせることができるし、第一の態様、第三の態様及び第四の態様を組み合わせることができるし、第二の態様、第三の態様及び第四の態様を組み合わせることができる。さらに、第一の態様、第二の態様、第三の態様及び第四の態様の全てを組み合わせることができる。
【００６０】
ところで、操作表示部７０では、識別部５５で計数されたか否かにかかわらず、紙葉類処理装置１００で処理できる全ての通貨に関する情報が表示されてもよい。一例としては、識別部５５で計数されたか否かにかかわらず、紙葉類処理装置１００で処理できる全ての通貨に対して切り換えるためのボタン７１（図４及び図６乃至図９に示した態様では、米国ドルに関する情報を表示するためのボタン７１ａ、人民元に関する情報を表示するためのボタン７１ｂ及びユーロに関する情報を表示するためのボタン７１ｃ）を表示するようにしてもよい。しかしながら、このような態様に限られず、識別部５５で計数された通貨に関する情報のみを操作表示部７０で表示し、識別部５５で計数されていない通貨に関する情報を操作表示部７０で表示しないようにしてもよい。例えば、米国ドル紙幣及び人民元紙幣のみが識別部５５で識別された場合には、図１１に示すように、米国ドルに関する情報を表示するためのボタン７１ａ及び人民元に関する情報を表示するためのボタン７１ｂのみが操作表示部７０で表示され、ユーロに関する情報を表示するためのボタン７１ｃは操作表示部７０で表示されないようにしてもよい（図１１においてユーロに関する情報を表示するためのボタン７１ｃが点線で表示されているのは、当該ボタン７１ｃが操作表示部７０に表示されていないことを意味している。）。ちなみに、図１１は、上述した第四の態様によるものであり、識別部５５で識別計数された通貨の金種別枚数に関して操作表示部７０で表示されていない情報がある場合に、操作表示部７０に「ＡＣＣＥＰＴ」ボタン７３が表示されないものとなっている。
【００６１】
また、操作表示部７０では、識別部５５で計数されたか否かにかかわらず全ての金種に関する情報が表示されてもよい。つまり、識別部５５で計数されたか否かにかかわらず、全ての金種についての金種別枚数を表示するようにしてもよい（図４乃至図１１参照）。しかしながら、このような態様に限られず、識別部５５で計数された金種に関する情報のみを操作表示部７０で表示し、識別部５５で計数されていない金種に関する情報を操作表示部７０で表示しないようにしてもよい。例えば、米国ドル紙幣に関して、１ドル紙幣、５ドル紙幣（新券）、１０ドル紙幣（新券）及び５０ドル紙幣のみが識別部５５で計数された場合には、図１２で示すように、１ドル紙幣の金種別枚数、５ドル紙幣（新券）の金種別枚数、１０ドル紙幣（新券）の金種別枚数及び５０ドル紙幣の金種別枚数のみが、操作表示部７０で表示されることとなる。
【００６２】
なお、主要情報の一部又は全てが操作表示部７０で未だ表示されていない場合にその旨を報知する態様としては、最初（計数処理が終了した時点）から報知している必要はない。例えば、主要情報の一部又は全てが操作表示部７０で未だ表示されていない場合であって操作表示部７０から取引の確定に関する入力が行われたときに、未だ表示されていない主要情報が存在する旨報知するような態様を採用することもできる。なおこの際には、一度目の操作表示部７０からの取引確定の入力は受け付けられないこととなる。
【００６３】
上述した態様をより具体的に説明すると、識別部５５で識別計数された通貨の紙幣に関する金種別枚数の一部又は全てが操作表示部７０で未だ表示されていない場合であって、操作者が操作表示部７０の「ＡＣＣＥＰＴ」ボタン７３を押して取引を確定しようとした際に、第一の態様のように、未だ表示されていない識別部５５で識別計数された通貨の紙幣に関する金種別枚数を表示させるように、マーク、矢印等が新たに表示されたり予め表示されているマーク、矢印等が強調表示されたりして、誘導情報を操作表示部７０が表示してもよい（図４乃至図６参照）。
【００６４】
また、識別部５５で識別計数された通貨の紙幣に関する金種別枚数の一部又は全てが操作表示部７０で未だ表示されていない場合であって、操作者が操作表示部７０の「ＡＣＣＥＰＴ」ボタン７３を押して取引を確定しようとした際に、第二の態様のように、その旨を報知するための文字情報７５を操作表示部７０が表示してもよい（図７参照）。
【００６５】
また、識別部５５で識別計数された通貨の紙幣に関する金種別枚数の一部又は全てが操作表示部７０で未だ表示されていない場合であって、操作者が操作表示部７０の「ＡＣＣＥＰＴ」ボタン７３を押して取引を確定しようとした際に、第三の態様のように、操作表示部７０が補助情報を表示し、その旨を報知してもよい（図８及び図９参照）。
【００６６】
ところで、本実施の形態の紙葉類処理装置１００では、未だ表示されていない主要情報の一部又は全てが存在することを操作表示部７０が報知するのと同時に又は報知した後で、当該主要情報を確認することなく取引を確定してよいかを操作者に対して問いかける態様を採用してもよい。問いかけ方としては、様々な態様が考えられるが、一例としては操作表示部７０に「取引を確定してよいか」という趣旨のメッセージを表示させる態様を挙げることができる。そして、このような状態で操作者が操作表示部７０の「ＡＣＣＥＰＴ」ボタン７３を押下することで、未だ表示されていない主要情報の一部又は全てが存在する場合であっても、そのような主要情報を操作表示部７０で表示させることなく、取引を確定することができる。
【００６７】
既に述べているように、本実施の形態の有価媒体処理システムは、紙葉類処理装置１００等の有価媒体処理装置単体であってもよいが、紙葉類処理装置１００等の有価媒体処理装置と、紙葉類処理装置１００等の有価媒体処理装置に接続された表示画面、パソコン及び／又はタブレット等を含む外部装置２００とを備えてもよい。ちなみに、このような外部装置２００を備えた場合には、外部装置２００で紙葉類処理装置１００を占有し、紙葉類処理装置１００における入力等の操作を無効にしてもよい。以下では、本実施の形態の有価媒体処理システム、より具体的には紙葉類処理システム、さらに具体的には紙幣処理システムで採用しうる態様について説明する。
【００６８】
図１３に示すように、本実施の形態の有価媒体処理システムは、操作表示部７０を撮影するための撮影部１１０と、当該撮影部１１０に接続され、当該撮影部１１０で撮影された画像を記憶する撮影記憶部１２０をさらに備えてもよい。そして、操作表示部７０は、未だ表示されていない主要情報の一部又は全てが存在する場合には、上述した「取引を確定してよいか」という趣旨のメッセージ及び／又は確定処理を行うためのボタン（例えば、上述した「ＡＣＣＥＰＴ」ボタン７３）を拡大して表示してもよい。このように、「取引を確定してよいか」という趣旨のメッセージ及び／又は確定処理を行うためのボタンを操作表示部７０が拡大表示した際の様子は、撮影部１１０で撮影され、撮影記憶部１２０に記憶されることとなる。このため、撮影部１１０で撮影された画像を管理者が後で確認する際に、未だ表示されていない主要情報の一部又は全てが存在するにもかかわらず、この主要情報を操作表示部７０で表示させることなく取引を確定させる処理を行おうとしている様子及び／又は行った様子を、（拡大して表示されることから）一目で確認することができる。なお、図１３に示すように、撮影部１１０に接続された撮影表示部１３０が設けられ、撮影部１１０で撮影された画像を当該撮影表示部１３０を介して、管理者がタイムリーに見ることができるようにしてもよい。
【００６９】
また、操作表示部７０が、上述したメッセージ及び／又は確定処理を行うためのボタン７１を拡大して表示する態様に加えて又はこの態様の代わりに、未だ表示されていない主要情報が存在する場合であって取引の確定を受け付けたときに、操作表示部７０がその旨を表示するようにしてもよい。取引の確定を受け付けたことを示すこの表示は、上述した第一の態様、第二の態様又は第三の態様を採用したときだけでなく、第四の態様で第二モードを選択したとき又は後述するように第四の態様でも取引を確定することができるときにも出される。
【００７０】
このように、未だ表示されていない主要情報が存在する場合であって取引の確定を受け付けたときに操作表示部７０がその旨を表示する場合に、上述のように、操作表示部７０の表示画面を撮影するための撮影部１１０と、当該撮影部１１０で撮影された画像を記憶する撮影記憶部１２０をさらに備えた態様を採用したときには、未だ表示されていない主要情報の一部又は全てが存在するにも係わらず、この主要情報を操作表示部７０で表示させることなく取引を確定したことを撮影部１１０で撮影し、撮影記憶部１２０で記憶することができる。また、上述のように、撮影部１１０に接続された撮影表示部１３０が設けられ、撮影部１１０で撮影された画像を当該撮影表示部１３０を介して、管理者がタイムリーに見ることができるようにしてもよい。また、未だ表示されていない主要情報が存在する場合であって取引の確定を受け付けたときには、管理者が管理しているパソコン、タブレット等の外部装置２００に、未だ表示されていない主要情報が存在するにも係わらず取引の確定が行われたことが表示され、管理者に警告されてもよい。
【００７１】
なお、上述した取引の確定を受け付けた旨を示す表示は、拡大して表示されてもよく、典型的には操作表示部７０の画面全体にわたって表示されてもよい。この場合には、撮影部１１０で撮影された画像を管理者が後で確認する際や管理者が撮影表示部１３０を介してタイムリーに確認している際に、未だ表示されていない主要情報の一部又は全てが存在するにもかかわらず、この主要情報を操作表示部７０で表示させることなく取引を確定させる処理を行ったことを、（拡大して表示されることから）管理者が一目で確認することができる。
【００７２】
ちなみに、未だ表示されていない主要情報の一部又は全てが存在するにも係わらず、この主要情報を操作表示部７０で表示させることなく取引を確定した際には、そのログが、紙葉類処理装置１００の記憶部５６、紙葉類処理装置１００に接続されたパソコン、タブレット等の外部装置２００の外部記憶部２３０（図１４参照）等に記憶される。このため、紙葉類処理装置１００の記憶部５６や外部装置２００の外部記憶部２３０等に記憶されたログに基づいて、管理者は、未だ表示されていない主要情報の一部又は全てが存在するにも係わらず、この主要情報を操作表示部７０で表示させることなく取引を確定したことを確認することができる。なお、紙葉類処理装置１００で紙幣等の紙葉類の処理を行う際に操作者のＩＤを入力するようになっている場合には、主要情報を操作表示部７０で表示させることなく取引を確定した時間と、操作者のＩＤとを照らし合わせることで、どの操作者が主要情報を操作表示部７０で表示させることなく取引を確定させたかを容易に把握することができる。
【００７３】
図１４に示すように、外部装置２００が外部表示部２２０を有しており、この外部表示部２２０が上述した操作表示部７０と同じ役割を果たしてもよい。このように外部表示部２２０が操作表示部７０と同じ役割を果たす場合には、当該外部表示部２２０が上述した操作表示部７０の代わりに用いられてもよいし、操作表示部７０に加えて外部表示部２２０も用いられてもよい。なお、外部表示部２２０が操作表示部７０と同じ役割を果たす場合であって、外部表示部２２０が操作表示部７０の代わりに用いられるときには、外部表示部２２０が特許請求の範囲の「表示部」に対応することとなり、操作表示部７０に加えて外部表示部２２０が用いられるときには、操作表示部７０及び外部表示部２２０の各々が特許請求の範囲の「表示部」に対応することとなる。なお、この外部表示部２２０は、例を挙げれば、表示画面単体、パソコンの表示画面、タブレットの表示画面等である。
【００７４】
また、図１４に示すように、外部装置２００が外部入力部２１０を有しており、この外部入力部２１０が上述した操作表示部７０と同じ役割を果たしてもよい。このように外部入力部２１０が操作表示部７０と同じ役割を果たす場合には、当該外部入力部２１０が上述した操作表示部７０の代わりに用いられてもよいし、操作表示部７０に加えて外部入力部２１０も用いられてもよい。なお、外部入力部２１０が操作表示部７０と同じ役割を果たす場合であって、外部入力部２１０が操作表示部７０の代わりに用いられるときには、外部入力部２１０が特許請求の範囲の「入力部」に対応することとなり、操作表示部７０に加えて外部入力部２１０が用いられるときには、操作表示部７０及び外部入力部２１０の各々が特許請求の範囲の「入力部」に対応することとなる。なお、この外部入力部２１０は、例を挙げれば、パソコンの入力端末、タッチパネルからなるタブレットの表示画面等である。
【００７５】
操作表示部７０及び外部表示部２２０の各々が特許請求の範囲の「表示部」に対応する場合には、主要情報（例えば識別部５５で識別計数された通貨の紙幣に関する金種別枚数）の一部又は全てが操作表示部７０及び外部表示部２２０のいずれにも未だ表示されていない場合に、操作表示部７０及び外部表示部２２０の各々でその旨を報知し、操作表示部７０又は外部表示部２２０のいずれかで主要情報の全てが表示されることで当該報知が終了する態様を採用してもよいが、操作表示部７０及び外部表示部２２０の各々が独立しており、主要情報の一部又は全てが操作表示部７０で未だ表示されていない場合には操作表示部７０でその旨を報知し、主要情報の一部又は全てが外部表示部２２０で未だ表示されていない場合には外部表示部２２０でその旨を報知する態様を採用してもよい。
【００７６】
以下、主要情報の一部又は全てが操作表示部７０及び外部表示部２２０のいずれにも未だ表示されていない場合に、操作表示部７０及び外部表示部２２０の各々でその旨を報知し、操作表示部７０又は外部表示部２２０のいずれかで主要情報の全てが表示されることで当該報知が終了する態様（本実施の形態による有価媒体処理システムの一態様）について、簡単に説明する。
【００７７】
本実施の形態による有価媒体処理システムの一態様において、上述の第一の態様を採用した場合には、主要情報（例えば識別部５５で識別計数された通貨の紙幣に関する金種別枚数）の一部又は全てが操作表示部７０及び外部表示部２２０のいずれでも未だ表示されていない場合に、未だ表示されていない主要情報を操作表示部７０で表示させるための誘導情報が、操作表示部７０及び外部表示部２２０の各々で表示されることとなる（図４乃至図６参照）。他方、操作表示部７０又は外部表示部２２０のいずれかで主要情報の全てが表示されることで誘導情報の表示が消されることとなる。
【００７８】
また、上述の第二の態様を採用した場合には、主要情報（例えば識別部５５で識別計数された通貨の紙幣に関する金種別枚数）の一部又は全てが操作表示部７０及び外部表示部２２０のいずれでも未だ表示されていない場合に、その旨を報知するための文字情報７５が操作表示部７０及び外部表示部２２０の各々で表示されることとなる（図７参照）。他方、操作表示部７０又は外部表示部２２０のいずれかで主要情報の全てが表示されることで文字情報７５の表示が消されることとなる。
【００７９】
また、上述の第三の態様を採用した場合には、主要情報（例えば識別部５５で識別計数された通貨の紙幣に関する金種別枚数）の一部又は全てが操作表示部７０及び外部表示部２２０のいずれでも未だ表示されていない場合に、識別部５５で紙幣が計数された結果に基づいて作成された補助情報が操作表示部７０及び外部表示部２２０の各々で表示されることとなる（図８及び図９参照）。他方、操作表示部７０又は外部表示部２２０のいずれかで主要情報の全てが表示されることで補助情報の表示が消されることとなる。
【００８０】
また、上述の第四の態様を採用した場合には、主要情報（例えば識別部５５で識別計数された通貨の紙幣に関する金種別枚数）の一部又は全てが操作表示部７０及び外部表示部２２０のいずれでも未だ表示されていない場合に、紙葉類処理装置１００の操作表示部７０の「ＡＣＣＥＰＴ」ボタン７３からの取引の確定に関する入力を受け付けず、かつ、外部装置２００の外部入力部２１０からの取引の確定に関する入力を受け付けず、そのことによって主要情報の一部又は全てが操作表示部７０及び外部表示部２２０のいずれでも未だ表示されていないことが報知されることとなる（図１０及び図１１参照）。他方、操作表示部７０又は外部表示部２２０のいずれかで主要情報の全てが表示されることで、操作表示部７０又は外部装置２００の外部入力部２１０から取引を確定することができるようになる。
【００８１】
上述した本実施の形態による有価媒体処理システムの一態様でも、主要情報の一部又は全てが操作表示部７０及び外部表示部２２０のいずれでも未だ表示されていない場合に、その旨を最初から報知している必要はない。例えば、主要情報の一部又は全てが操作表示部７０及び外部表示部２２０のいずれでも未だ表示されていない場合であって、紙葉類処理装置１００の操作表示部７０の「ＡＣＣＥＰＴ」ボタン７３から取引の確定に関する入力が行われたときに、未だ表示されていない主要情報が存在する旨が操作表示部７０で報知され、また、外部装置２００の入力部から取引の確定に関する入力が行われたときに、未だ表示されていない主要情報が存在する旨が外部表示部２２０で報知されてもよい。
【００８２】
ちなみに、上述した本実施の形態による有価媒体処理システムの一態様で、上述した撮影部１１０を採用する場合には、当該撮影部１１０が２台以上設けられ、操作表示部７０及び外部表示部２２０の各々を撮影するようにしてもよい。このような態様によれば、操作表示部７０で表示される内容と外部表示部２２０で表示される内容の両方を撮影部１１０で撮影して撮影記憶部１２０で記憶したり、操作表示部７０で表示される内容と外部表示部２２０で表示される内容の両方を撮影表示部１３０を介して管理者がタイムリーに確認したりすることができる。
【００８３】
また、本実施の形態の有価媒体処理システムは、図１５で示すように、複数の紙葉類処理装置１００（有価媒体処理装置）と、紙葉類処理装置１００（有価媒体処理装置）の各々に接続された表示画面、パソコン及び／又はタブレット等を含む複数の外部装置２００と、複数の紙葉類処理装置１００又は複数の外部装置２００にインターネット３５０を介して接続されたサーバー３００と、を備えていてもよい。図１５では、サーバー３００にインターネット３５０及び外部装置２００を介して複数の紙葉類処理装置１００が接続された態様が示されている。なお、このサーバー３００には、紙葉類処理装置１００で処理された紙幣に印刷されたシリアル番号（記号や番号からなり、紙幣を一意に特定できる情報）を含む紙幣に関する情報が、各紙葉類処理装置１００から送信され、記憶されるようになっていてもよい。このような態様を採用することで、サーバー３００でシリアル番号を一元的に管理することができ、例えば偽札を容易に検索することができるようになる。
【００８４】
《方法》
本実施の形態の有価媒体処理方法、より具体的には紙幣処理方法について、以下で説明する。なお、「構成」で述べた内容と重複する内容となることから、「方法」を説明する以下の箇所では、適宜省略しつつ説明する。また、以下では、「表示部」及び「入力部」として操作表示部７０を用いた態様で説明するが、「表示部」として操作表示部７０の代わりに又は操作表示部７０に加えて外部表示部２２０を用いてもよいし、「入力部」として操作表示部７０の代わりに又は操作表示部７０に加えて外部入力部２１０を用いてもよいのは、既に述べたとおりである。
【００８５】
まず、紙葉類処理装置１００の受入部１１に複数の紙幣が積層状態で載置されて受け入れられる（図１及び図２参照）。次に、取込部１０によって、受入部１１で受け入れられた積層状態の紙幣のうち最下層にある紙幣が１枚ずつ筐体１内に取り込まれる（図２参照）。筐体１内に取り込まれた紙幣は１枚ずつ搬送部２０によって搬送される。このように搬送部２０で搬送されている間に、識別部５５によって、紙幣の金種、正損、表裏、新旧、方向、真偽等が識別される。そして、識別部５５によって識別された結果に基づいて各紙幣は対応するスタッカ６０に搬送される。他方、識別部５５によって金種等が識別されずに識別異常を引き起こした紙幣や、斜行、重送、連鎖等の搬送異常を引き起こした紙幣は、スタッカ６０ではなくリジェクト部６１に搬送される。なお、「斜行」とは斜めに紙幣が搬送されたことを意味し、「重送」とは紙幣が重なり合って搬送されたことを意味し、「連鎖」とは複数の紙幣が所定の間隔を隔てないで搬送されたことを意味する。
【００８６】
このようにして、受入部１１で受け入れられた複数の紙幣の各々に対して、識別部５５による識別計数が行われる。そして、受入部１１で受け入れられた複数の紙幣の全てについて識別部５５による識別計数が行われると、対象となっている取引についての識別計数がひとまず終了したこととなる。
【００８７】
このように対象となっている取引についての識別計数がひとまず終了すると、操作表示部７０によって識別部５５で紙幣が計数された結果に基づく計数情報が表示される。この計数情報は既に述べているように、操作表示部７０で一度は表示されるべき主要情報を含んでおり、一例としては、識別部５５で計数された通貨（例えば、米国ドル、人民元、ユーロ等）に関する情報であり、識別部５５で計数された紙幣の金種（例えば、１（ドル又は元）、２（ドル）、５（ドル、元又はユーロ）等）に関する情報であり、さらに別の例としては、識別部５５で計数された通貨（例えば、米国ドル、人民元、ユーロ等）の金種（例えば、１ドル、２ドル、５ドル、１元、５元、５ユーロ、１０ユーロ等）に関する情報である。そして、典型的には、識別部５５で計数された通貨（例えば、米国ドル、人民元、ユーロ等）の金種（例えば、１ドル、２ドル、５ドル、１元、５元、５ユーロ、１０ユーロ等）毎の枚数（いわゆる「金種別枚数」）である。
【００８８】
操作表示部７０で表示される態様としては、識別部５５で計数されたか否かにかかわらず全ての通貨及び金種に関する情報を操作表示部７０で表示してもよいし（図４乃至図１０参照）、このような態様とは異なり、識別部５５で計数された通貨に関する情報のみを操作表示部７０で表示し、識別部５５で計数されていない通貨に関する情報を操作表示部７０で表示しないようにしてもよいし（図１１参照）、識別部５５で計数された金種に関する情報のみを操作表示部７０で表示し、識別部５５で計数されていない金種に関する情報を操作表示部７０で表示しないようにしてもよい（図１２参照）。
【００８９】
主要情報の一部又は全てが操作表示部７０で未だ表示されていない場合にその旨を報知するための態様として第一の態様を採用した場合には、未だ表示されていない主要情報を操作表示部７０で表示させるための誘導情報（マーク、矢印等の新たな表示やマーク、矢印等の強調表示）が操作表示部７０で表示されることとなる（図４乃至図６参照）。また、主要情報の一部又は全てが操作表示部７０で未だ表示されていない場合にその旨を報知するための態様として第二の態様を採用した場合には、未だ表示されていない主要情報が存在することを報知するための文字情報７５が操作表示部７０で表示されることとなる（図７参照）。また、主要情報の一部又は全てが操作表示部７０で未だ表示されていない場合にその旨を報知するための態様として第三の態様を採用した場合には、操作表示部７０に補助情報が表示され、この補助情報の表示によって未だ表示されていない主要情報が存在することが報知される（図８及び図９参照）。また、主要情報の一部又は全てが操作表示部７０で未だ表示されていない場合にその旨を報知するための態様として第四の態様を採用した場合には、操作表示部７０からの取引の確定に関する入力を受け付けず、つまり操作者が操作表示部７０から取引の確定を行おうとしても取引を確定することができず、そのことによって未だ表示されていない主要情報が存在することが報知される（図１０及び図１１参照）。
【００９０】
そして、主要情報の全てが操作表示部７０で表示されると、第一の態様を採用した場合には誘導情報が操作表示部７０から消え、第二の態様を採用した場合には文字情報７５が操作表示部７０から消え、第三の態様を採用した場合には補助情報が操作表示部７０から消える。また、第四の態様を採用した場合には、主要情報の全てが操作表示部７０で表示されると、操作表示部７０からの確定処理が受け付けられるようになる。この際、操作表示部７０からの確定処理が受け付けられるようになったことが、例えば表示されていなかった「ＡＣＣＥＰＴ」ボタン７３（図１０及び図１１参照）が操作表示部７０に表示されることで報知されてもよいし、グレー表示（薄い色で表示）となっている「ＡＣＣＥＰＴ」ボタン７３が通常の表示に変わることで報知されてもよいし、操作表示部７０からの確定処理が受け付け可能となったことを示す文字、マーク等が操作表示部７０に表示されることで報知されてもよい。
【００９１】
このように主要情報の一部又は全てが操作表示部７０で未だ表示されていないことを報知する際には、対象となっている取引についての識別計数がひとまず終了した時点で、操作表示部７０にその旨が表示されていてもよいが、このような態様に限られず、操作表示部７０から取引の確定に関する入力が行われたときに、始めて、主要情報の一部又は全てが操作表示部７０で未だ表示されていないことが報知されてもよい。後者の場合には、操作者が操作表示部７０から取引の確定を行おうとした際、より具体的には「ＡＣＣＥＰＴ」ボタン７３を一回押下した際には取引の確定は受け付けられず、その代わりに、第一の態様における誘導情報、第二の態様における文字情報７５、第三の態様における補助情報が、操作表示部７０に表示されることとなる。
【００９２】
上述した第四の態様において、主要情報の一部又は全てが操作表示部７０で未だ表示されていない状態で、取引の確定を「絶対に」受け付けないようにすることもできるが、このような態様に限らず、少なくとも一度は取引の確定を受け付けず、主要情報を確認することなく取引を確定してよいかの問いかけが操作表示部７０に表示されたりする等の所定の過程を経た後で取引を確定させる態様も採用することができる。
【００９３】
なお、このように、少なくとも一度は取引の確定を受け付けないが所定の過程を経た後で取引を確定させることができる態様において、始めから（対象となっている取引における計数処理がひとまず終了した時点から）ではなく、操作表示部７０から取引の確定に関する入力が行われたときに始めて、主要情報の一部又は全てが操作表示部７０で未だ表示されていないことが報知される態様を採用している場合について簡単に説明する。この態様において、主要情報の一部又は全てが操作表示部７０で未だ表示されていない状態で操作表示部７０から取引の確定に関する入力が行われたときには、取引の確定は受け付けられず、まず、第一の態様における誘導情報、第二の態様における文字情報７５及び／又は第三の態様における補助情報や主要情報を確認することなく取引を確定してよいかの問いかけ等が操作表示部７０に表示される。そして、このように誘導情報、文字情報７５及び／又は補助情報や主要情報を確認することなく取引を確定してよいかの問いかけ等が操作表示部７０に表示されている状態で、再度、操作表示部７０から取引の確定に関する入力が行われたときに、取引が確定されることとなる。
【００９４】
ちなみに、第四の態様を採用した場合であっても、主要情報の一部又は全てが操作表示部７０で未だ表示されていない場合に操作表示部７０からの取引の確定に関する入力を受け付けない第一モードと、主要情報の一部又は全てが操作表示部７０で未だ表示されていない場合であっても操作表示部７０からの取引の確定に関する入力を受け付ける第二モードとを切り換えることができる態様を採用した場合には、適宜、第二モードに切り換えることによって、操作表示部７０に主要情報の一部又は全てが操作表示部７０で未だ表示されていないことが報知されていても、取引を確定することができる。
【００９５】
ところで、主要情報の一部又は全てが操作表示部７０で未だ表示されていない状態でも取引の確定を受け付ける態様を採用した場合には、主要情報を確認することなく取引を確定してよいかの問いかけ及び／又は確定処理を行うためのボタン（例えば、上述した「ＡＣＣＥＰＴ」ボタン７３）が操作表示部７０に拡大表示されてもよいし、未だ表示されていない主要情報があるにも係わらず取引を確定したことを示す表示が操作表示部７０に（拡大）表示されてもよい。そして、この操作表示部７０は、撮影部１１０で撮影され、その画像が撮影記憶部１２０に記憶されたり、その画像が撮影表示部１３０を介して管理者によってタイムリーに見られたりしてもよい。
【００９６】
上述したように、主要情報の全てが操作表示部７０で表示されて、操作表示部７０からの確定処理が受け付けられるか、又は、主要情報の一部又は全てが操作表示部７０で未だ表示されていないが、操作表示部７０からの確定処理が受け付けられることで、対象となっている一つの取引の処理が終了する。このように、取引の処理が終了すると、操作者は、スタッカ６０は前面から、スタッカ６０内に収容された紙幣を取り出す。以降、同様の処理が、次の複数の紙幣に対して行われる。
【００９７】
次に、本実施の形態のさらに別の態様について説明する。
【００９８】
この態様は、計数情報が１種類の通貨に関する情報のみを含む場合と、計数情報が少なくとも２種類以上の通貨に関する情報を含む場合とで、操作表示部７０で表示される内容が変わるものとなっている。さらに詳細には、計数情報が１種類の通貨に関する情報のみを含む場合には、操作表示部７０が当該通貨の主要情報を表示する。この主要情報の一例としては、当該通貨の金種別の枚数情報を挙げることができる。他方、計数情報が少なくとも２種類以上の通貨に関する情報を含む場合には、操作表示部７０は、通貨毎の補助情報、又は、通貨毎の補助情報と主要情報の両方を表示可能となる。この補助情報の一例としては、通貨毎の紙幣の枚数及び合計金額を含む情報を挙げることができる。さらにこの態様では、操作表示部７０が、一取引の最初に識別部５５が計数した紙幣の通貨に関する主要情報を表示し、識別部５５が当該取引の最初に計数した通貨と異なる通貨の紙幣を計数した場合には、操作表示部７０が通貨毎の補助情報を表示するように、切り換え表示するようになってもよい。なお、このように補助情報が操作表示部７０に表示されている場合には、操作表示部７０に表示されている通貨を指定することで、その通貨の主要情報（例えば金種別枚数情報）を表示するように切り換え表示してもよい。
【００９９】
具体的な表示態様を図１６（ａ）（ｂ）に示す。なお、図１６（ａ）（ｂ）に示された操作表示部７０（操作表示画面７０ａ，７０ｂ）では、上述した金種別枚数情報表示部７９の代わりに枚数情報表示部７９’が設けられている。
【０１００】
例えば、一取引の最初に識別部５５が計数した紙幣の通貨が米国ドル（ＵＳＤ）であって、続けて、１ドル紙幣８枚と、５ドル紙幣７枚と、１０ドル紙幣１０枚の合計２６枚の米国ドル紙幣を識別部５５が計数した場合は、図１６（ａ）に示したような表示が枚数情報表示部７９’に表示される。そして、次の２７枚目の紙幣の通貨が人民元（ＣＮＹ）であった場合には、図１６（ｂ）に示すように、枚数情報表示部７９’が米国ドル（ＵＳＤ）及び人民元（ＣＮＹ）毎に補助情報である紙幣の枚数及び合計金額を表示する。なお、図１６（ｂ）に示した態様では、２７枚目から最後（より具体的には３７枚目）までの紙幣の通貨が人民元（ＣＮＹ）であった場合の態様となっており、より具体的には、２７枚目から最後（より具体的には３７枚目）までの紙幣が１００元紙幣であった場合の態様となっている。
【０１０１】
ちなみに、図１６（ｂ）に示されたような枚数情報表示部７９’の表示において、米国ドル（ＵＳＤ）に関する情報を表示するためのボタン７１ａを押下することで、枚数情報表示部７９’に米国ドル（ＵＳＤ）の金種別枚数に関する情報が表示され（図１６（ａ）参照）、他方、人民元（ＣＮＹ）に関する情報を表示するためのボタン７１ｂを押下することで、枚数情報表示部７９’に人民元（ＣＮＹ）の金種別枚数に関する情報が表示される。
【０１０２】
《効果》
次に、上述した構成からなる本実施の形態によって達成される効果であって、まだ述べていない効果又はとりわけ重要な効果について説明する。
【０１０３】
本実施の形態では、操作表示部７０及び／又は外部表示部２２０で一度は表示されるべき主要情報の少なくとも一部が操作表示部７０及び／又は外部表示部２２０で未だ表示されていない場合に、その旨が報知される。このため、操作者は、目視して確認しなければならない主要情報が未だ表示されていないことを気づくことができる。したがって、本実施の形態によれば、操作者が未だ操作表示部７０及び／又は外部表示部２２０で表示されていない主要情報に気づくことなく取引の確定処理をする等して次の処理に移ってしまうことを防止することができる。
【０１０４】
この点について説明する。操作者が気づかないうちに２種類の以上の通貨が混合されて紙葉類処理装置で識別された場合には、仮に国際公開公報２００９／０６９１９７号に記載された発明を採用しても、気づかなかった通貨についての情報（例えば当該通貨の金種別枚数に関する情報）を操作者が目視して確認することなく取引の確定処理をする等して、次の処理に移ってしまう可能性がある。また、仮に一種類の通貨しか取り扱わなかったとしても、多数の金種を扱う結果、対象となっている金種別枚数の全てを表示部で一度に表示できないことがあり、この場合にも、表示されていなかった金種に関する情報（例えば金種別枚数に関する情報）を操作者が目視して確認することなく取引の確定処理をする等して、次の処理に移ってしまう可能性がある。この課題を解決したのが本実施の形態である。つまり、本実施の形態によれば、主要情報の少なくとも一部が操作表示部７０及び／又は外部表示部２２０で未だ表示されていない場合にその旨が報知される。このため、操作者は未だ表示されていない主要情報が存在することを気づくことができ、従来のように操作者が未だ表示されていない主要情報の存在に気づくことなく取引の確定処理をしてしまうことを防止することができるのである。
【０１０５】
上述した第一の態様のように、主要情報の一部又は全てが操作表示部７０及び／又は外部表示部２２０で未だ表示されていない場合に、未だ表示されていない主要情報を操作表示部７０及び／又は外部表示部２２０で表示させるための誘導情報を、これら操作表示部７０及び／又は外部表示部２２０で表示させる態様を採用した場合には（図４乃至図６参照）、操作者は、どのような処理を行えば、目視しなければならない主要情報を表示させることができるか一目で理解することができ、主要情報の確認作業の効率を高めることができる。
【０１０６】
また、上述した第二の態様のように、主要情報の一部又は全てが操作表示部７０及び／又は外部表示部２２０で未だ表示されていない場合に、その旨を報知するための文字情報７５を操作表示部７０及び／又は外部表示部２２０で表示させる態様を採用した場合には（図７参照）、何をしなければならないのか、より具体的には操作表示部７０及び／又は外部表示部２２０に未だ表示されていない主要情報が存在することを、操作者は一目で理解することができ、操作者（特に熟練していない操作者）による確認作業の効率を高めることができる。なお、表示されていない通貨が存在する場合にその旨を文字情報で報知したり、表示されていない金種が存在する場合にその旨を文字情報で報知したりする態様を採用した場合には、操作者が何を確認しなければならないかを明確に認識することができる点で有益である。また、より詳細に、表示されていない通貨の金種を特定して示すようにした場合には、操作者が何を確認しなければならないかをさらに明確に認識することができる点で非常に有益である。
【０１０７】
また、上述した第三の態様のように、主要情報の一部又は全てが操作表示部７０及び／又は外部表示部２２０で未だ表示されていない場合に、補助情報を操作表示部７０及び／又は外部表示部２２０に表示し、そのことによって主要情報の一部又は全てが操作表示部７０及び／又は外部表示部２２０で未だ表示されていないことを報知する態様を採用した場合には（図８及び図９参照）、操作者は、補助的な情報を予め入手したうえで、未だ表示されていない主要情報を操作表示部７０及び／又は外部表示部２２０で確認したり、未だ表示されていない主要情報を表示させずに確定処理を行うことを判断したりすることができる。つまり、この補助情報は、識別部５５で紙幣（有価媒体）が計数された結果に基づいて作成されたものであり、例えば各通貨の合計金額のみや各通貨の合計枚数のみが示されるように簡略化された内容からなるものや（図８参照）、識別部５５で紙幣が計数された結果に基づいて作成された通貨の金種別枚数を縮小表示した情報７６（図９参照）となっている。このため、操作者は、例えば、補助的な情報を予め入手したうえで実際の主要情報を確認したり、補助的な情報から確認の必要がないと判断して当該主要情報を表示させることなく取引を確定させたりすることができる。
【０１０８】
また、上述した第四の態様のように、主要情報の一部又は全てが操作表示部７０及び／又は外部表示部２２０で未だ表示されていない場合に、操作表示部７０からの取引の確定に関する入力を受け付けず、そのことによって主要情報の一部又は全てが操作表示部７０及び／又は外部表示部２２０で未だ表示されていないことを報知する態様を採用した場合には（図１０及び図１１参照）、強制的に、操作者による取引の確定を防止するので、操作表示部７０及び／又は外部表示部２２０に主要情報の全てを必ず表示させやすくなる。
【０１０９】
なお、主要情報の一部又は全てが操作表示部７０で未だ表示されていない状態では取引の確定を「絶対に」受け付けない態様を採用した場合には、確実に操作表示部７０及び／又は外部表示部２２０に主要情報の全てを表示させることができる。他方、第四の態様であっても、少なくとも一度は取引の確定を受け付けないが所定の過程を経た後で取引を確定させることができる態様を採用した場合には、操作者の判断によって、操作表示部７０及び／又は外部表示部２２０に主要情報の全てを表示させるか、操作表示部７０及び／又は外部表示部２２０に主要情報の全てを表示させることなく取引の確定処理を行うかを決めることができる点で、時々に応じて柔軟な対応を取ることができる。
【０１１０】
また、このような第四の態様を採用した場合において、主要情報の一部又は全てが操作表示部７０及び／又は外部表示部２２０で未だ表示されていない場合に操作表示部７０からの取引の確定に関する入力を受け付けない第一モードと、主要情報の一部又は全てが操作表示部７０及び／又は外部表示部２２０で未だ表示されていない場合であっても操作表示部７０からの取引の確定に関する入力を受け付ける第二モードとを切り換えることができる態様を採用した場合には、第一モードを選択して、操作表示部７０及び／又は外部表示部２２０に主要情報の全てを表示させることを優先させることもできるし、第二モードを選択して、取引の確定処理を迅速に行うことを優先させることもでき、柔軟性に富んだ運用が可能となる点で有益である。
【０１１１】
主要情報が識別部５５で計数された通貨（例えば、米国ドル、人民元、ユーロ等）に関する情報を含む場合には、識別部５５で計数された全ての通貨を操作表示部７０及び／又は外部表示部２２０で原則一度は表示させるようにすることができる。このため、複数の通貨からなる紙幣（有価媒体）を同時に取り扱う可能性のある場合に、計数情報を確認していない通貨があるにも係わらず、操作者が取引を確定してしまう事態が発生することを防止することができる。
【０１１２】
主要情報が識別部５５で計数された紙幣の金種（例えば、１（ドル又は元）、２（ドル）、５（ドル、元又はユーロ）等）に関する情報を含む場合には、識別部５５で計数された全ての金種を操作表示部７０及び／又は外部表示部２２０で原則一度は表示させるようにすることができる。このため、多くの金種の紙幣（有価媒体）が対象となった取引に含まれている場合に、各金種の計数情報を確認していないにも係わらず、操作者が取引を確定してしまう事態が発生することを防止することができる。
【０１１３】
主要情報が識別部５５で計数された通貨（例えば、米国ドル、人民元、ユーロ等）の金種（例えば、１ドル、２ドル、５ドル、１元、５元、５ユーロ、１０ユーロ等）に関する情報を含む場合には、識別部５５で計数された全ての通貨の全ての金種を操作表示部７０及び／又は外部表示部２２０で原則一度は表示させるようにすることができる。このため、複数の通貨からなる紙幣（有価媒体）を同時に取り扱う可能性のある場合であって、複数の金種の紙幣（有価媒体）が対象となった取引に含まれているときに、各通貨の各金種の計数情報を確認していないにも係わらず、操作者が取引を確定してしまう事態が発生することを防止することができる。ちなみに、主要情報が識別部５５で計数された通貨の金種別枚数に関する情報を含む場合には、各通貨の各金種の金種別枚数を操作者が確認するように仕向けることができ、金種別枚数のレベルでの確認を操作者に要求することができる。
【０１１４】
また、識別部５５で計数された通貨に関する情報のみを操作表示部７０及び／又は外部表示部２２０で表示し、識別部５５で計数されていない通貨に関する情報を操作表示部７０及び／又は外部表示部２２０で表示しないようにした態様を採用した場合には（図１１参照）、識別部５５で計数されていない通貨に関する情報がそもそも操作表示部７０及び／又は外部表示部２２０に表示されないことから、識別部５５で計数された通貨の有無を一目で操作者が確認することができる。また、このように識別部５５で計数されていない通貨に関する情報がそもそも操作表示部７０及び／又は外部表示部２２０に表示されないことから、操作者が無駄に通貨を切り換えるためのボタン７１を押下したり、無駄に金種別枚数情報表示部７９の内容をスクロールさせたりすることがなくなる。
【０１１５】
また、識別部５５で計数された金種に関する情報のみを操作表示部７０及び／又は外部表示部２２０で表示し、識別部５５で計数されていない金種に関する情報を操作表示部７０及び／又は外部表示部２２０で表示しないようにした態様を採用した場合には（図１２参照）、操作表示部７０及び／又は外部表示部２２０で表示される金種に関する情報を最小限のものにすることができる。このため、操作表示部７０及び／又は外部表示部２２０をスクロールさせることなく識別部５５によって計数された金種に関する情報の全てを表示させることができる可能性が高まり、ひいては、未だ表示されていない金種（主要情報の一部）が存在しないようにすることができる。
【０１１６】
また、主要情報の一部又は全てが操作表示部７０で未だ表示されていない場合に、その旨が、始めから（対象となっている取引における計数処理がひとまず終了した時点から）表示されるときには、操作者は、計数処理が終了した時点で、操作表示部７０及び／又は外部表示部２２０で現在表示されている内容の他に、主要情報が存在することを迅速に確認することができる点で有益である。他方、主要情報の一部又は全てが操作表示部７０及び／又は外部表示部２２０で未だ表示されていない場合であって取引の確定に関する入力が行われたときに、未だ表示されていない主要情報が存在する旨が操作表示部７０及び／又は外部表示部２２０で表示される場合には、操作表示部７０及び／又は外部入力部２１０からの入力を行う際に操作表示部７０及び／又は外部表示部２２０の表示内容が変わり、誘導情報、文字情報７５、補助情報等が表示されることから、何故に取引を確定することができないかを操作者に理解させやすくなる。つまり、操作者が取引を確定させようとした際に、操作表示部７０及び／又は外部表示部２２０に誘導情報、文字情報７５、補助情報等が表示されることから、次に何をすべきかを操作者が直感的に認識することができる点で有益である。
【０１１７】
また、未だ表示されていない主要情報の一部又は全てが存在する場合であっても、そのような主要情報を操作表示部７０で表示させることなく、取引の確定を受け付ける態様を採用した場合には、主要情報を作業者の目視で確認させるという工程を経ることなく取引を確定させることとなってしまう。しかしながら、全ての取引について必ず主要情報を確認しなければならないというわけではなく、場合によっては主要情報を目視で確認することなく確定させることのできる取引も存在する。このような取引についてまで主要情報の確認を強制的に行うようになるとすると、作業効率が下がってしまう。この点、この態様に因れば、適宜選択して目視による確認を省略することができるので、作業効率が無駄に低下することを防止することができる。
【０１１８】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１１９】
１０        取込部
２０        搬送部
４０        通過センサ
４１        有無検知センサ
４２        有無検知センサ
４５        分岐部材
６０        スタッカ
６１        リジェクト部
５５        識別部
５６        記憶部
７０        操作表示部（表示部、入力部）
７０ａ，７０ｂ  操作表示画面
８０        切換部
７１        通貨の表示を切り換えるためのボタン
７１ａ      米国ドルに関する情報を表示するためのボタン
７１ｂ      人民元に関する情報を表示するためのボタン
７１ｃ      ユーロに関する情報を表示するためのボタン
７２ａ      上矢印
７２ｂ      下矢印
７３        「ＡＣＣＥＰＴ」ボタン
７４        「ＣＬＥＡＲ」ボタン
７５        文字情報
７６        通貨の金種別枚数を縮小表示した情報
７９        金種別枚数情報表示部
１１０      撮影部
１２０      撮影記憶部
１３０      撮影表示部
２００      外部装置
２１０      外部入力部
２２０      外部表示部
２３０      外部記憶部
【図１】
2015098798.tif 000003
【図２】
2015098798.tif 000004
【図３】
2015098798.tif 000005
【図４】
2015098798.tif 000006
【図５】
2015098798.tif 000007
【図６】
2015098798.tif 000008
【図７】
2015098798.tif 000009
【図８】
2015098798.tif 000010
【図９】
2015098798.tif 000011
【図１０】
2015098798.tif 000012
【図１１】
2015098798.tif 000013
【図１２】
2015098798.tif 000014
【図１３】
2015098798.tif 000015
【図１４】
2015098798.tif 000016
【図１５】
2015098798.tif 000017
【図１６】
2015098798.tif 000018
【国際調査報告】
2015098798.tif 000019
2015098798.tif 000020